(57)【要約】      （修正有）【課題】通信回線に不慣れな個人の企業家及び中小企業が、容易に且つ安価にウェブページ及び当該ウェブページにリンクするリンクページを制作し、当該ウェブページをインターネット上に公開して、自己の営業に関する広告宣伝が行えると同時に、インターネットを介してビジネス活動を行うことを可能とするウェブページ活用支援システム及びウェブページ活用支援方法を提供する。【解決手段】情報配信者にＵＲＬ登録画面記憶部やＨＴＭＬ言語を含むコードを事前に割振り、通信回線を介し情報記録部内に設置された複数の一括情報登録画面されたファイルおよびページの入力画面に情報を入力保存し、一方、クライアント端末は該コードをパーソナルコンピューター、タブレットＰＣおよびモバイルなどにより読み取り、サイトにアクセスすることで情報を受信する。【選択図】図１
2012226719.tif 000002
【特許請求の範囲】
【請求項１】
情報配信者１１とクライアント端末１０とを通信回線３０を介し情報記録部２１を有すること業体とから構成されており、当該こと業体は、複数の営業活動或いは企業活動を行っている、通信回線３０に不慣れな個人や企業家及び中小企業のため一括情報登録画面２０された複数のファイルやページを予め制作して、以後ウェブページ２３配信希望者は必要に応じて当該ファイルやページに必要な文字入力並び、フォント、サイズ、太字、斜体などの変更や写真の大小調整やレイアウト、編集などをワープロチックな入力や編集を任意にできるように構成されていることを特徴とするウェブページ２３活用支援システム。
【請求項２】
パーソナルコンピューター、タブレットＰＣおよびモバイルなどやモバイルなどの表示画面の大きさの違いため、情報量の変更などが必要なため、個別に一括情報登録画面２０された入力画面を設けたことを特徴とする請求項１記載のウェブページ２３活用支援システム。
【請求項３】
当業体は、ＵＲＬ登録画面記憶部２２がコード化されたＱＲコード等の二次元画面をパーソナルコンピューター、タブレットＰＣおよびモバイルなど、タブレットＰＣ、またはモバイル付属のＱＲ読み込みカメラ３１でＱＲコード内のＵＲＬ登録画面記憶部２２を読み取り通信回線３０によりサイトに容易に直接アクセスできるアプリケーションサービスプロバイダであることを特徴とする請求項１記載のウェブページ２３活用支援システム。
【請求項４】
当業体は、情報配信者１１が社員、会員、教育、顧客、患者、マニュアルなどの特定人に対し、名刺、郵便物、学生手帳、社内情報誌などで知らせることにより、特定最新管理情報を何時ども何処でも容易にウェブページ２３閲覧を可能にした請求項１記載のウェブページ２３活用支援システム。
【請求項５】
当業体は、開設希望者には固有のウェブページ２３を予め定めた一括情報登録画面２０された形式で制作して、ウェブページ２３公開することを特徴とする請求項１に記載のウェブページ２３活用支援システム。
【請求項６】
当該ウェブページ２３は、ウェブページ２３開設者に対して当該こと業体はＩＤ番号およびパスワード等を提供し、ウェブページ２３開設は入力によって当該ウェブページ２３の内容を変更、追加もししくは削除する場合には、当該通信回線３０を介して当該こと業体にアクセスし、プロバイダ内の保存データを変更できる請求項１記載のウェブページ２３活用支援システム。
【請求項７】
当該ウェブページ２３活用支援システムには、ウェブページ２３開設者に対し当該ウェブページ２３上で情報記録部２１に端末機がアクセスする毎に所定の料金を徴収する為の課金システムされることを特徴とする請求項１記載のウェブページ２３活用支援システム。
【請求項８】
当該ウェブページ２３開設者が当該ウェブページ２３にリンクする所望のリンクページを制作する処理がオプションとして設けられていることを特徴とする請求項１記載のウェブページ２３活用支援システム。
【請求項９】
当該ウェブページ２３は、少なくとも当該ウェブページ２３開設者に関する名称、代表者名、住所、電話番号、ＦＡＸ番号、Ｅメイルアドレス、ウェブページ２３アドレス、職業種別を含んでいることを特徴とする請求項１に記載のウェブページ２３活用支援システム。
【請求項１０】
当該が当該開設されたウェブページ２３によりクライアント端末１０の個別の商取引に於ける代金決済にも利用できるような構成を備えたことを特徴とする請求項１記載のウェブページ２３活用支援装置。
【請求項１１】
当該通信端末は、情報記録部２１機能を備えたパーソナルコンピューター、タブレットＰＣおよびモバイルなど、タブレットＰＣ、携帯電話、ＰＨＳ、ゲーム端末機、ＰＤＡなどから選択された一つで構成されていることを特徴とする請求項記載のウェブページ２３活用支援システム。
【発明の詳細な説明】
【技術分野】
【０００１】  本発明は、ＵＲＬ登録画面記憶部２２やＨＴＭＬ言語を使用せずＱＲコードの読み込みによりパーソナルコンピューター、タブレットＰＣおよびモバイルなどから、通信回線３０を介してウェブページ２３の配信者に一括情報登録画面２０された複数のファイルやページへの文章入力、編集、レイアウト、ファイルの順序、入れ替え、背景画像、デザイン、音、映像などがワープロチックな入力可能で、情報配信ページを端末装置に表示する情報提供システムおよびプログラムに関するものである。
【背景技術】
【０００２】  現在、ＨＴＭＬの入力、またはウェブページ２３制作ソフトなどを使用してウェブページ２３が制作されているが、パーソナルコンピューター、タブレットＰＣおよびモバイルなどに不慣れな人にとってＨＴＭＬの入力は不可能で、ウェブページ２３制作ソフトを使用しても文字入力並び、フォント、サイズ、太字、斜体などの変更や写真の大小調整やレイアウト、編集など煩雑な入力や編集は非常に困難である。【０００３】  さらにパーソナルコンピューター、タブレットＰＣおよびモバイルなど、タブレットＰＣ、やモバイルなどの表示画面の大きさの違いにより、文字情報、音声、写真、映像、およびゲームソフトなどの情報量の削減が必要となる場合が多いのでそれぞれにマッチした校正、レイアウト、データの縮小などの編集は煩雑な作業を必要とする。【０００４】  情報配信者１１がウェブページ２３を必要とする場合の多くは、本職とする制作者に依頼するため情報配信者１１と制作業者間にウェブページ２３完成後にニュアンスのズレが生じ、また変更の度にも費用の負担増加となる。【０００５】  ウェブページ２３で掲載されたクーポン、観光地などの情報は、従来はプリントアウトして目的地まで持参して、提示、提出、閲覧などが必要でプリント作業やプリントの携帯などが面倒である。【０００６】  またウェブページ２３の検索には、ＹａｈｏｏやＧｏｏｇｌなどの検索サイトよりキーワードの入力によって膨大な検索候補数の中から、クライアント端末１０に適合するウェブページ２３に到達するには、ウェブページ２３検索に不慣れな人にとって目的とするウェブページ２３への到達までには、労力と苦痛を与える。【０００７】  社員、会員、教育、顧客、マニュアルなどの情報を、特定人にＱＲコードを知らせることにより何時ども何処でも最新情報を容易に閲覧でき、特定人以外にウェブページ２３での一部、または全部を規制するには困難で煩雑な作業を必要とする。【０００８】  さらにウェブページ２３の基本が完成されても、プロフィール、写真集、カレンダー、スケジュール、クーポン機能、オンライン予約機能、商品販売、音楽と流す、メール送受信などの機能活用には、より煩雑で専門知識が必要とする。
【先行技術文献】
【特許文献】
【０００９】
【特許文献１】特許公開２００２−１４０５３１
【特許文献２】特許公開２００３−１５０４９８
【特許文献３】特許公開２００８−１８１３４５
【特許文献４】特許公開２００７−２７９８６４
【特許文献５】特許公開２００７−２７２９１２
【特許文献６】特許公開２００６−１８５３２８
【非特許文献】
【００１０】
【非特許文献１】
【発明の概要】
【発明が解決しようとする課題】
【００１１】  解決しようとする問題点は、パーソナルコンピューター、タブレットＰＣおよびモバイルなどに不慣れな人であっても文字入力並び、フォント、サイズ、太字、斜体などの変更や写真の大小調整やレイアウト、編集などをワープロチックな入力や編集が可能で情報の配信でき、受診者にとっても容易な操作で最新情報を得られることである。【００１２】  さらにパーソナルコンピューター、タブレットＰＣおよびモバイルなどやモバイルなどの表示画面の大きさの違いにより、文字情報、音声、写真、映像、およびゲームソフトなどの情報量の変更などが必要なので、編集をパーソナルコンピューター、タブレットＰＣおよびモバイルなど、に不慣れな人であっても可能にすることである。【００１３】  情報配信者１１がウェブページ２３を必要とする時、本職とする制作者に依頼すれば製作費、修正費などが生じ、またウェブページ２３にニュアンスのズレが生じないようにするためには情報配信者１１自身が入力可能なウェブページ２３制作システムにすることである。【００１４】  クライアント端末１０は、ウェブページ２３で掲載されたクーポン、観光地などの情報は屋外で必要であるため、従来はプリントアウトして携帯する必要があるが、パーソナルコンピューター、タブレットＰＣおよびモバイルなどの端末機により、提示、提出、閲覧などが可能にすることである。【００１５】  またクライアントは、ＹａｈｏｏやＧｏｏｇｌなどの検索通信回線３０によるウェブページ２３の膨大な数の検索結果中から希望するウェブページ２３の選択に絞り込む作業は大きなストレスを与える。パーソナルコンピューター、タブレットＰＣおよびモバイルなどに不慣れな人にとっても容易で瞬時に目的とするウェブページ２３を可能にすることである。【００１６】  情報配信者１１は、社員、会員、教育、顧客、マニュアルなどの管理情報を、特定人に限って何時ども何処でもパーソナルコンピューター、タブレットＰＣおよびモバイルなどにより、最新情報を容易で瞬時にウェブページ２３を閲覧可能にすることである。【００１７】  さらに情報配信者１１は、ウェブページ２３内で、プロフィール、写真集、カレンダー、スケジュール、クーポン機能、オンライン予約機能、商品販売、音楽と流す、メール送受信などの多機能を容易に使用できるようにすることである。
【課題を解決するための手段】
【００１８】  本発明は、上記の課題を解決するために行うものであり、その基本的な考え方は情報配信者１１に割振られたＱＲコードから、通信回線３０を介し情報記録部２１内に一括情報登録画面２０されたファイル、およびページに入力画面を設け、文字情報、写真、音などの情報を、通信回線３０を介して入力保存、配信できる通信回線３０システムを提供することを最も主要な特徴とする。
【発明の効果】
【００１９】  本発明は、上述した様な構成を採用しているので、通信回線３０に不慣れな個人の企業家及び中小企業にとっても、容易に且つ安価にウェブページ２３および当該ウェブページ２３にリンクするウェブページ２３を制作し、当該ウェブページ２３をインターネット上に公開して、自己の営業に関する広告宣伝が行えると同時に、通信回線３０を介してビジネス活動を行える利点がある。【００２０】  また、ウェブページ２３をウェブページ２３制作業者へ依頼に際しては、しばしば生じるニュアンスのズレが生じるが、ウェブページ２３制作者自らの意思により制作できるので、ニュアンスのズレもなく編集なども素早く安価で見劣りのないウェブページ２３の制作が行える利点がある。【００２１】  また、情報配信者１１は、社員、会員、教育、顧客、マニュアルなどの特定人に対し、名刺、郵便物、学生手帳、社内情報誌などの特定管理情報のＱＲコードを事前に伝えておくことにより、何時ども何処でも最新情報を容易にウェブページ２３の閲覧を可能にできる利点がある。【００２２】  また、情報配信者１１は、プロフィール、写真集、カレンダー、スケジュール、クーポン機能、オンライン予約機能、商品販売、音楽、メール送受信機能などをそれぞれのＱＲコード画面、および紙面に設けることで、不慣れでも通信回線３０に容易にアクセスできる利点がある。【００２３】  さらに、クライアントにおいてもパーソナルコンピューター、タブレットＰＣおよびモバイルなどのＱＲ読み込みカメラ３１でＱＲコード画面、および紙面を読み取ることで、不慣れであってもウェブサイトに容易にアクセスでき最新情報を得る利点がある。
【図面の簡単な説明】
【００２３】  以下、図１は本発明の一実施方法を説明する。
図１は、本発明に係るウェブページ２３の一具体例の構成を示す説明図である。【００２４】  図２は、本発明に係るウェブページ２３活用支援方法の一具体例の構成を示すフローチャートを示した説明図である。【００２５】  図３は、本発明に係るウェブページ２３制作時の一括情報登録画面２０された入力画面の一例を示した図である。【００２６】  図４は、ＱＲコードの様々な活用法の一例として、建築物の壁面にＱＲコードを掲示しコマーシャルなどの広告の用途の一例を示した図である。【００２７】  図５は、名刺などの紙面に表記された活用法の一例として、新しいコミュニケーションツールとしての用途の一例を示した図である。【００２８】  図６は、歌謡ショーなどの次回の案内、割引予約、関連情報などの提供により販売促進の用途の一例を示した図である【００２９】  図７は、次回の案内、割引予約、スポーツ関連情報などの提供により販売促進の用途の一例を示した図である。【００３０】  図８は、譜面に表記された活用法の一例として、譜面の音楽がパーソナルコンピューター、タブレットＰＣおよびモバイルなどより音楽を聴くツールとしての用途の一例を示した図である。【００２９】  図９は、複数の監視カメラにＱＲコードを読み込み希望する希望する監視カメラの映像情報を配信できる防犯、防災の用途にも活用例の図である。
【図面の簡単な説明】
【００３０】  以下、図１は本発明の一実施方法を説明する。
図１は、情報記録部２１を中心としての関連を示した概略図である。【００３１】  図２は、本発明に係るウェブページ２３制作支援システムの一具体例の構成を示すフローチャートを示した説明図である。【００３２】  図３は、本発明に係る情報入力画面の一具体例に於ける使用例を示した説明図である。【００３３】  図４は、本発明を名刺に採用した場合の一具体例を示した説明図である。【００３４】  図５は、本発明を建築物に採用した場合の一具体例を示した説明図である。【００３５】  図６は、本発明をチケットなどに採用した場合の一具体例を示した説明図である。【００３６】  図７は、本発明をチラシなどに採用した場合の一具体例を示した説明図である。【００３７】  図８は、本発明を音譜に採用した場合の一具体例を示した説明図である。【００３８】  図９は、本発明を防犯カメラに採用した場合の一具体例を示した説明図である。
【発明を実施するための形態】
【００３９】  情報記録部２１内にＱＲコードを事前に振り分けた複数のファイル、およびページを事前に設け、そのファイル内の複数のページには文書の作成や編集を行うアプリケーションソフトウエアをテンプレート有し、書体の大きさや種類、行間を調整できるほか、表、図、写真、音などの情報入力を文書中に埋め込む作業を、パーソナルコンピューター、タブレットＰＣおよびモバイルなどに不慣れな人であっても容易な操作で情報の配信、および情報の提供を得られることを実現した。
【実施例１】
【００４０】  また、クライアント端末１０側の表示画面の大きさの違うためそれぞれパーソナルコンピューター、タブレットＰＣおよびモバイルなど、およびモバイル用の個別に一括情報登録画面２０された入力画面を設け、容易な操作で行えることを実現した。
【実施例２】
【００４１】  さらに、パーソナルコンピューター、タブレットＰＣおよびモバイルなどに不慣れな人であっても、一括情報登録画面２０された画面に文字入力、並び、フォント、サイズ、太字、斜体などの変更や写真の大小調整やレイアウト、編集などの機能を事前に一括情報登録画面２０することで、ワープロチックな入力や編集を容易にした。
【産業上の利用可能性】
【００４２】  ここでは一使用例として、社員証、職員証、組合員証、学生証、生徒手帳、受診証、名刺にＱＲコードを表記することで、プロフィール、案内、概要、スケジュール、連絡事項、最新情報、写真、映像、詳細、補足説明、現在のサービス商品、ランチメニュー、レシピ、次回もしくは関連チケットの紹介、お買い得品、タイムサービス、電話番号発信、為替の違いによる最新価格、楽譜から原曲の演奏試聴など様々に広がる活用が可能なパーソナルコンピューター、タブレットＰＣおよびモバイルなどやタブレットＰＣ、およびモバイルなどから何時でも何処でも自由に閲覧できるウェブページ２３の用途にも活用できる。【００４３】  次の例として、建築物の壁面にＱＲコードを画像、または表記することで驚きとそこから受けるコマーシャルなどの広告などの用途にも活用できる。【００４４】  次の例として、名刺などの紙面に表記されたＱＲコードを読み込み、端末器によりプロフィール、業務日程などの最新情報をパーソナルコンピューター、タブレットＰＣおよびモバイルなど、タブレットＰＣおよびモバイルのウェブページ２３よりディスプレー、スピーカー装置などにより常時視聴できる新しいコミュニケーションツールとしても活用できる。【００４５】  次の例として、ウェブページ２３保存の情報記録部２１には複数のファイルおよびページのテンプレートが設けられ、さらに順次下部には複数のファイルおよびページには、それぞれ入力機能、携帯登録機能、カレンダー機能、携帯ウェブページ２３制作機能、クーポン機能、ショッピングカート、会計処理、予約機能などの幅広い機能を兼ね備え見劣りのないウェブページ２３制作ソフトとしてウェブページ２３制作支援の用途にも活用できる。【００４６】  次の例として、複数の監視カメラの設置毎にＱＲコードを設定し個々の映像提供の目的で設定され、希望する監視カメラの常時当該地点での映像が通信回線３０を通じて常時必要とする映像情報を配信でき、また事前に映像記録を保存した情報までもウェブページ２３を通じ防犯、防災の用途にも活用できる。【００４７】  次の例として、スポーツ、映画、演芸、ショーなどのチケットにＱＲコードを表示し次回の案内、割引予約、関連情報などの提供により販売促進の用途にも活用できる。【００４８】  さらに次の例として、スーパーのチラシ、通販誌、メニューなどでは刻々と変化する価格、タイムサービスの詳細など最新情報の発信、および一つの印刷物を長期間継続使用できるため、印刷補の削減できる新しい販売促進の用途にも活用できる。
【符号の説明】
【００４９】１０  クライアント端末
１１  情報配信者
２０  一括情報登録画面
２１  情報記憶部
２２  ＵＲＬ登録画面記憶部
２３  ウェブページ
３０  通信回線
３１  ＱＲ読み込みカメラ
【図１】
2012226719.tif 000003
【図２】
2012226719.tif 000004
【図３】
2012226719.tif 000005
【図４】
2012226719.tif 000006
【図５】
2012226719.tif 000007
【図６】
2012226719.tif 000008
【図７】
2012226719.tif 000009
【図８】
2012226719.tif 000010
【図９】
2012226719.tif 000011
【手続補正書】
【提出日】平成23年7月19日(2011.7.19)
【手続補正１】
【補正対象書類名】明細書
【補正対象項目名】全文
【補正方法】変更
【補正の内容】
【発明の詳細な説明】
【技術分野】
【０００１】  本発明は、ＵＲＬ登録画面記憶部２２やＨＴＭＬ言語を使用せずＱＲコードの読み込みによりパーソナルコンピューター、タブレットＰＣおよびモバイルなどから、通信回線３０を介してウェブページ２３の配信者に一括情報登録画面２０された複数のファイルやページへの文章入力、編集、レイアウト、ファイルの順序、入れ替え、背景画像、デザイン、音、映像などがワープロチックな入力可能で、情報配信ページを端末装置に表示する情報提供システムおよびプログラムに関するものである。
【背景技術】
【０００２】  現在、ＨＴＭＬの入力、またはウェブページ２３制作ソフトなどを使用してウェブページ２３が制作されているが、パーソナルコンピューター、タブレットＰＣおよびモバイルなどに不慣れな人にとってＨＴＭＬの入力は不可能で、ウェブページ２３制作ソフトを使用しても文字入力並び、フォント、サイズ、太字、斜体などの変更や写真の大小調整やレイアウト、編集など煩雑な入力や編集は非常に困難である。【０００３】  さらにパーソナルコンピューター、タブレットＰＣおよびモバイルなど、タブレットＰＣ、やモバイルなどの表示画面の大きさの違いにより、文字情報、音声、写真、映像、およびゲームソフトなどの情報量の削減が必要となる場合が多いのでそれぞれにマッチした校正、レイアウト、データの縮小などの編集は煩雑な作業を必要とする。【０００４】  情報配信者１１がウェブページ２３を必要とする場合の多くは、本職とする制作者に依頼するため情報配信者１１と制作業者間にウェブページ２３完成後にニュアンスのズレが生じ、また変更の度にも費用の負担増加となる。【０００５】  ウェブページ２３で掲載されたクーポン、観光地などの情報は、従来はプリントアウトして目的地まで持参して、提示、提出、閲覧などが必要でプリント作業やプリントの携帯などが面倒である。【０００６】  またウェブページ２３の検索には、ＹａｈｏｏやＧｏｏｇｌなどの検索サイトよりキーワードの入力によって膨大な検索候補数の中から、クライアント端末１０に適合するウェブページ２３に到達するには、ウェブページ２３検索に不慣れな人にとって目的とするウェブページ２３への到達までには、労力と苦痛を与える。【０００７】  社員、会員、教育、顧客、マニュアルなどの情報を、特定人にＱＲコードを知らせることにより何時ども何処でも最新情報を容易に閲覧でき、特定人以外にウェブページ２３での一部、または全部を規制するには困難で煩雑な作業を必要とする。【０００８】  さらにウェブページ２３の基本が完成されても、プロフィール、写真集、カレンダー、スケジュール、クーポン機能、オンライン予約機能、商品販売、音楽と流す、メール送受信などの機能活用には、より煩雑で専門知識が必要とする。
【先行技術文献】
【特許文献】
【０００９】
【特許文献１】特許公開２００２−１４０５３１
【特許文献２】特許公開２００３−１５０４９８
【特許文献３】特許公開２００８−１８１３４５
【特許文献４】特許公開２００７−２７９８６４
【特許文献５】特許公開２００７−２７２９１２
【特許文献６】特許公開２００６−１８５３２８
【非特許文献】
【００１０】
【非特許文献１】
【発明の概要】
【発明が解決しようとする課題】
【００１１】  解決しようとする問題点は、パーソナルコンピューター、タブレットＰＣおよびモバイルなどに不慣れな人であっても文字入力並び、フォント、サイズ、太字、斜体などの変更や写真の大小調整やレイアウト、編集などをワープロチックな入力や編集が可能で情報の配信でき、受診者にとっても容易な操作で最新情報を得られることである。【００１２】  さらにパーソナルコンピューター、タブレットＰＣおよびモバイルなどやモバイルなどの表示画面の大きさの違いにより、文字情報、音声、写真、映像、およびゲームソフトなどの情報量の変更などが必要なので、編集をパーソナルコンピューター、タブレットＰＣおよびモバイルなど、に不慣れな人であっても可能にすることである。【００１３】  情報配信者１１がウェブページ２３を必要とする時、本職とする制作者に依頼すれば製作費、修正費などが生じ、またウェブページ２３にニュアンスのズレが生じないようにするためには情報配信者１１自身が入力可能なウェブページ２３制作システムにすることである。【００１４】  クライアント端末１０は、ウェブページ２３で掲載されたクーポン、観光地などの情報は屋外で必要であるため、従来はプリントアウトして携帯する必要があるが、パーソナルコンピューター、タブレットＰＣおよびモバイルなどの端末機により、提示、提出、閲覧などが可能にすることである。【００１５】  またクライアントは、ＹａｈｏｏやＧｏｏｇｌなどの検索通信回線３０によるウェブページ２３の膨大な数の検索結果中から希望するウェブページ２３の選択に絞り込む作業は大きなストレスを与える。パーソナルコンピューター、タブレットＰＣおよびモバイルなどに不慣れな人にとっても容易で瞬時に目的とするウェブページ２３を可能にすることである。【００１６】  情報配信者１１は、社員、会員、教育、顧客、マニュアルなどの管理情報を、特定人に限って何時ども何処でもパーソナルコンピューター、タブレットＰＣおよびモバイルなどにより、最新情報を容易で瞬時にウェブページ２３を閲覧可能にすることである。【００１７】  さらに情報配信者１１は、ウェブページ２３内で、プロフィール、写真集、カレンダー、スケジュール、クーポン機能、オンライン予約機能、商品販売、音楽と流す、メール送受信などの多機能を容易に使用できるようにすることである。
【課題を解決するための手段】
【００１８】  本発明は、上記の課題を解決するために行うものであり、その基本的な考え方は情報配信者１１に割振られたＱＲコードから、通信回線３０を介し情報記録部２１内に一括情報登録画面２０されたファイル、およびページに入力画面を設け、文字情報、写真、音などの情報を、通信回線３０を介して入力保存、配信できる通信回線３０システムを提供することを最も主要な特徴とする。
【発明の効果】
【００１９】  本発明は、上述した様な構成を採用しているので、通信回線３０に不慣れな個人の企業家及び中小企業にとっても、容易に且つ安価にウェブページ２３および当該ウェブページ２３にリンクするウェブページ２３を制作し、当該ウェブページ２３をインターネット上に公開して、自己の営業に関する広告宣伝が行えると同時に、通信回線３０を介してビジネス活動を行える利点がある。【００２０】  また、ウェブページ２３をウェブページ２３制作業者へ依頼に際しては、しばしば生じるニュアンスのズレが生じるが、ウェブページ２３制作者自らの意思により制作できるので、ニュアンスのズレもなく編集なども素早く安価で見劣りのないウェブページ２３の制作が行える利点がある。【００２１】  また、情報配信者１１は、社員、会員、教育、顧客、マニュアルなどの特定人に対し、名刺、郵便物、学生手帳、社内情報誌などの特定管理情報のＱＲコードを事前に伝えておくことにより、何時ども何処でも最新情報を容易にウェブページ２３の閲覧を可能にできる利点がある。【００２２】  また、情報配信者１１は、プロフィール、写真集、カレンダー、スケジュール、クーポン機能、オンライン予約機能、商品販売、音楽、メール送受信機能などをそれぞれのＱＲコード画面、および紙面に設けることで、不慣れでも通信回線３０に容易にアクセスできる利点がある。【００２３】  さらに、クライアントにおいてもパーソナルコンピューター、タブレットＰＣおよびモバイルなどのＱＲ読み込みカメラ３１でＱＲコード画面、および紙面を読み取ることで、不慣れであってもウェブサイトに容易にアクセスでき最新情報を得る利点がある。
【図面の簡単な説明】
【００２３】  以下、図１は本発明の一実施方法を説明する。
【図１】は、本発明に係るウェブページ２３の一具体例の構成を示す説明図である。
【００２４】
【図２】は、本発明に係るウェブページ２３活用支援方法の一具体例の構成を示すフローチャートを示した説明図である。
【００２５】
【図３】は、本発明に係るウェブページ２３制作時の一括情報登録画面２０された入力画面の一例を示した図である。
【００２６】
【図４】は、ＱＲコードの様々な活用法の一例として、建築物の壁面にＱＲコードを掲示しコマーシャルなどの広告の用途の一例を示した図である。
【００２７】
【図５】は、名刺などの紙面に表記された活用法の一例として、新しいコミュニケーションツールとしての用途の一例を示した図である。
【００２８】
【図６】は、歌謡ショーなどの次回の案内、割引予約、関連情報などの提供により販売促進の用途の一例を示した図である
【００２９】
【図７】は、次回の案内、割引予約、スポーツ関連情報などの提供により販売促進の用途の一例を示した図である。
【００３０】
【図８】は、譜面に表記された活用法の一例として、譜面の音楽がパーソナルコンピューター、タブレットＰＣおよびモバイルなどより音楽を聴くツールとしての用途の一例を示した図である。
【００３１】
【図９】は、複数の監視カメラにＱＲコードを読み込み希望する希望する監視カメラの映像情報を配信できる防犯、防災の用途にも活用例の図である。
【発明を実施するための形態】
【００３２】  情報記録部２１内にＱＲコードを事前に振り分けた複数のファイル、およびページを事前に設け、そのファイル内の複数のページには文書の作成や編集を行うアプリケーションソフトウエアをテンプレート有し、書体の大きさや種類、行間を調整できるほか、表、図、写真、音などの情報入力を文書中に埋め込む作業を、パーソナルコンピューター、タブレットＰＣおよびモバイルなどに不慣れな人であっても容易な操作で情報の配信、および情報の提供を得られることを実現した。
【実施例１】
【００３３】  また、クライアント端末１０側の表示画面の大きさの違うためそれぞれパーソナルコンピューター、タブレットＰＣおよびモバイルなど、およびモバイル用の個別に一括情報登録画面２０された入力画面を設け、容易な操作で行えることを実現した。
【実施例２】
【００３４】  さらに、パーソナルコンピューター、タブレットＰＣおよびモバイルなどに不慣れな人であっても、一括情報登録画面２０された画面に文字入力、並び、フォント、サイズ、太字、斜体などの変更や写真の大小調整やレイアウト、編集などの機能を事前に一括情報登録画面２０することで、ワープロチックな入力や編集を容易にした。
【産業上の利用可能性】
【００３５】  ここでは一使用例として、社員証、職員証、組合員証、学生証、生徒手帳、受診証、名刺にＱＲコードを表記することで、プロフィール、案内、概要、スケジュール、連絡事項、最新情報、写真、映像、詳細、補足説明、現在のサービス商品、ランチメニュー、レシピ、次回もしくは関連チケットの紹介、お買い得品、タイムサービス、電話番号発信、為替の違いによる最新価格、楽譜から原曲の演奏試聴など様々に広がる活用が可能なパーソナルコンピューター、タブレットＰＣおよびモバイルなどやタブレットＰＣ、およびモバイルなどから何時でも何処でも自由に閲覧できるウェブページ２３の用途にも活用できる。【００３６】  次の例として、建築物の壁面にＱＲコードを画像、または表記することで驚きとそこから受けるコマーシャルなどの広告などの用途にも活用できる。【００３７】  次の例として、名刺などの紙面に表記されたＱＲコードを読み込み、端末器によりプロフィール、業務日程などの最新情報をパーソナルコンピューター、タブレットＰＣおよびモバイルなど、タブレットＰＣおよびモバイルのウェブページ２３よりディスプレー、スピーカー装置などにより常時視聴できる新しいコミュニケーションツールとしても活用できる。【００３８】  次の例として、ウェブページ２３保存の情報記録部２１には複数のファイルおよびページのテンプレートが設けられ、さらに順次下部には複数のファイルおよびページには、それぞれ入力機能、携帯登録機能、カレンダー機能、携帯ウェブページ２３制作機能、クーポン機能、ショッピングカート、会計処理、予約機能などの幅広い機能を兼ね備え見劣りのないウェブページ２３制作ソフトとしてウェブページ２３制作支援の用途にも活用できる。【００３９】  次の例として、複数の監視カメラの設置毎にＱＲコードを設定し個々の映像提供の目的で設定され、希望する監視カメラの常時当該地点での映像が通信回線３０を通じて常時必要とする映像情報を配信でき、また事前に映像記録を保存した情報までもウェブページ２３を通じ防犯、防災の用途にも活用できる。【００４０】  次の例として、スポーツ、映画、演芸、ショーなどのチケットにＱＲコードを表示し次回の案内、割引予約、関連情報などの提供により販売促進の用途にも活用できる。【００４１】  さらに次の例として、スーパーのチラシ、通販誌、メニューなどでは刻々と変化する価格、タイムサービスの詳細など最新情報の発信、および一つの印刷物を長期間継続使用できるため、印刷補の削減できる新しい販売促進の用途にも活用できる。
【符号の説明】
【００４２】１０  クライアント端末
１１  情報配信者
２０  一括情報登録画面
２１  情報記憶部
２２  ＵＲＬ登録画面記憶部
２３  ウェブページ
３０  通信回線
３１  ＱＲ読み込みカメラ